(57)【特許請求の範囲】
【請求項１】
建物の外壁と仮設足場の支柱とを連結する壁つなぎを前記外壁に固定するための壁つなぎ取付け金物であって、
前記外壁の屋内側から屋外側に亘って配置され、前記壁つなぎとの連結部が設けられる本体と、
前記本体における屋内側端部に支持される屋内側挟持体と、
前記本体における屋外側端部に支持され、鉛直方向から見て前記連結部と前記支柱とを結ぶ直線から当該直線に垂直な方向に変位して配置される屋外側挟持体と、
を具備し、
前記屋外側挟持体は、
長手方向を前記外壁の壁面に垂直な方向に向けられ前記本体に螺合されるネジ部と、
前記ネジ部の屋外側端部に設けられる、前記ネジ部を回転させるための操作部と、
を具備し、
前記操作部を回転操作することで前記屋外側挟持体の長手方向位置を変更し、前記屋内側挟持体と前記屋外側挟持体とで前記外壁を挟持することにより前記外壁に取り付けられる、
壁つなぎ取付け金物。
【請求項２】
前記屋外側挟持体は２つ具備され、
前記外壁の壁面に垂直な方向から見て、第一の屋外側挟持体と第二の屋外側挟持体とを結ぶ線分上に前記屋内側挟持体が位置するように配置される、
請求項１に記載の壁つなぎ取付け金物。
【発明の詳細な説明】
【技術分野】
【０００１】
本発明は、集合住宅やビルなどの建物の外壁と、当該建物に並設される仮設足場と、を連結する壁つなぎを、外壁に固定するための壁つなぎ取付け金物の技術に関する。
【背景技術】
【０００２】
従来、集合住宅やビルなどの建物の外壁（詳細には、バルコニーの手摺壁や腰壁、廊下等の共用部分の手摺壁や腰壁等）と、当該建物に並設される仮設足場と、を連結する壁つなぎを、外壁に固定する技術は公知となっている。例えば、特許文献１に記載の如くである。
【０００３】
特許文献１に記載の技術は、建物の外壁にアンカーを打ち込み、当該アンカーに壁つなぎの一端をねじ込むことで、当該壁つなぎを外壁に固定するものである。外壁に固定された壁つなぎの他端を仮設足場の支柱に連結することによって、建物の外壁と仮設足場とを連結することができる。
【０００４】
しかし、特許文献１に記載の技術では、アンカーを外壁に打ち込むため、騒音、振動、および粉塵が発生する、仮設足場を撤去する際に外壁の補修作業が必要となる、外壁にタイルが設けられている場合には壁つなぎを撤去した後で張り替えたタイルの浮きが発生する場合がある等の不利な点があった。
【０００５】
そこで、上記不利な点を解消するため、壁つなぎを外壁に固定するための壁つなぎ取付け金物が知られている。例えば、図２０に示す壁つなぎ取付け金物５００である。
【０００６】
壁つなぎ取付け金物５００は、外壁３の両壁面に渡って配置され、壁つなぎ５との連結部５１４が設けられる本体５１０と、本体５１０の一端に支持される屋内側挟持体５２０と、本体５１０の他端に支持され、屋内側挟持体５２０と外壁３を挟んで対向する位置に配置される屋外側挟持体５３０と、を具備するものである。
【０００７】
壁つなぎ取付け金物５００は、屋内側挟持体５２０と屋外側挟持体５３０とで外壁３を挟持することで当該外壁３に固定される。壁つなぎ５の一端を壁つなぎ取付け金物５００の連結部５１４に連結することで、当該壁つなぎ５を外壁３に固定することができる。さらに壁つなぎ５の他端を仮設足場の支柱４ａに連結することで、当該仮設足場と外壁３とを連結することができる。
【０００８】
この技術によれば、壁つなぎ５を外壁３に固定するためにアンカーを当該外壁３に打ち込む必要がないため、騒音、振動、および粉塵が発生したり、外壁３の補修作業が必要となったりする等の上記不利な点を解消することができる。
【先行技術文献】
【特許文献】
【０００９】
【特許文献１】特開２００７−１３８４１０号公報
【発明の概要】
【発明が解決しようとする課題】
【００１０】
しかしながら、図２０に示す壁つなぎ取付け金物５００においては、屋内側挟持体５２０と屋外側挟持体５３０とで外壁３を挟持する際に操作される屋外側挟持体５３０の操作部５３２が、前後方向において支柱４ａと同一位置にあるため（図２０（ｂ）参照）、当該支柱４ａが壁つなぎ取付け金物５００の取り付け作業の邪魔になるという点で不利であった。より詳細には、壁つなぎ取付け金物５００の固定作業や取り外し作業を迅速に行うために、インパクトレンチを用いて操作部５３２を締め付け、または、緩めようとすると、支柱４ａが邪魔になり、インパクトレンチを使用することができず、スパナ等で締め付け、または、緩めることとなり、作業性が悪くなる構成であった。
【００１１】
本発明は、上記のような問題点に鑑みてなされたものであり、その解決しようとする課題は、外壁に取り付ける際に、仮設足場の支柱が取り付け作業の邪魔にならない壁つなぎ取付け金物を提供するものである。
【課題を解決するための手段】
【００１２】
本発明の解決しようとする課題は以上の如くであり、次にこの課題を解決するための手段を説明する。
【００１３】
即ち、請求項１においては、建物の外壁と仮設足場の支柱とを連結する壁つなぎを前記外壁に固定するための壁つなぎ取付け金物であって、前記外壁の屋内側から屋外側に亘って配置され、前記壁つなぎとの連結部が設けられる本体と、前記本体における屋内側端部に支持される屋内側挟持体と、前記本体における屋外側端部に支持され、鉛直方向から見て前記連結部と前記支柱とを結ぶ直線から当該直線に垂直な方向に変位して配置される屋外側挟持体と、を具備し、前記屋外側挟持体は、長手方向を前記外壁の壁面に垂直な方向に向けられ前記本体に螺合されるネジ部と、前記ネジ部の屋外側端部に設けられる、前記ネジ部を回転させるための操作部と、を具備し、前記操作部を回転操作することで前記屋外側挟持体の長手方向位置を変更し、前記屋内側挟持体と前記屋外側挟持体とで前記外壁を挟持することにより前記外壁に取り付けられるものである。
【００１４】
請求項２においては、前記屋外側挟持体は２つ具備され、前記外壁の壁面に垂直な方向から見て、第一の屋外側挟持体と第二の屋外側挟持体とを結ぶ線分上に前記屋内側挟持体が位置するように配置されるものである。
【発明の効果】
【００１５】
本発明の効果として、以下に示すような効果を奏する。
【００１６】
請求項１においては、本体の連結部と屋外側挟持体とが鉛直方向から見て連結部と支柱とを結ぶ直線から当該直線に垂直な方向に相対的に変位するように配置される。すなわち、壁つなぎに連結される仮設足場の支柱と屋外側挟持体とが前記方向に相対的に変位するように配置されるため、壁つなぎ取付け金物を外壁に取り付ける際に、操作部を操作するための工具と当該支柱が干渉せず、取付け作業の邪魔にならないため、作業性を向上できる。
【００１７】
請求項２においては、屋内側挟持体と第一屋外側挟持体および第二屋外側挟持体とで外壁を挟持することで、壁つなぎ取付け金物をより強固に外壁に取り付けることができる。
【図面の簡単な説明】
【００１８】
【図１】建物と仮設足場とを壁つなぎによって連結した様子を示す正面図。
【図２】本発明の第一実施形態に係る壁つなぎ取付け金物を示す斜視図。
【図３】同じく、正面図。
【図４】同じく、平面図。
【図５】本発明の第一実施形態に係る壁つなぎ取付け金物の横設部と屋外側挟持体との軸心の位置関係を示す平面図。
【図６】本発明の第一実施形態に係る壁つなぎ取付け金物を示す図。（ａ）右側面図。（ｂ）左側面図。
【図７】壁つなぎ取付け金物を用いて外壁と仮設足場とを連結した様子を示す正面図。
【図８】同じく、平面図。
【図９】本発明の第二実施形態に係る壁つなぎ取付け金物を示す正面図。
【図１０】同じく、平面図。
【図１１】本発明の第三実施形態に係る壁つなぎ取付け金物を示す斜視図。
【図１２】同じく、正面図。
【図１３】同じく、平面図。
【図１４】本発明の第三実施形態に係る壁つなぎ取付け金物の横設部と屋外側挟持体との軸心の位置関係を示す平面図。
【図１５】本発明の第三実施形態に係る壁つなぎ取付け金物を示す図。（ａ）右側面図。（ｂ）左側面図。
【図１６】壁つなぎ取付け金物を用いて外壁と仮設足場とを連結した様子を示す正面図。
【図１７】同じく、平面図。
【図１８】本発明の第四実施形態に係る壁つなぎ取付け金物を示す正面図。
【図１９】同じく、平面図。
【図２０】従来の壁つなぎ取付け金物を示す図。（ａ）正面図。（ｂ）底面図。
【発明を実施するための形態】
【００１９】
以下では、図１および図２を用いて、本発明の第一実施形態に係る壁つなぎ取付け金物１００について説明する。
【００２０】
建物１の外壁工事等を行う場合には、当該建物１の外側に作業用の仮設足場４が並設される。仮設足場４を設置する場合、安定させるために、当該仮設足場４と建物１の外壁３とが壁つなぎ５によって連結される。
ここで建物１の外壁３とは、バルコニーの手摺壁や腰壁、廊下等の共用部分の手摺壁や腰壁等を含むものであり、後述する壁つなぎ取付け金物１００を取り付けることが可能なように、その上部、下部、または側部に縁がある壁であればよい。
【００２１】
壁つなぎ５の一端は、建物１のベランダ２の外壁３に固定され、壁つなぎ５の他端は、仮設足場４の支柱４ａ（図２参照）に固定される。この際、壁つなぎ５の一端を外壁３に固定するために、壁つなぎ取付け金物１００が用いられる。
壁つなぎ５は、棒状の部材の一端にネジ部５ａが設けられ、他端に連結部５ｂが設けられる。ネジ部５ａは後述する連結部１１４に螺装可能としている。連結部５ｂは仮設足場４の支柱４ａに挟持固定可能に構成している。
【００２２】
以下では、図２から図８までを用いて、壁つなぎ取付け金物１００について詳細に説明する。
なお、以下では図中に示した矢印の方向に基づいて、前後方向、左右方向、および上下方向を定義する。また、以下では右側を建物１の屋内側、左側を建物１の屋外側とそれぞれ定義する。
【００２３】
図２に示す壁つなぎ取付け金物１００は、上述の如く、壁つなぎを外壁３に固定するためのものである。壁つなぎ取付け金物１００は、本体１１０、屋内側挟持体１２０、第一屋外側挟持体１３０、第二屋外側挟持体１４０、および上部受け体１５０を具備する。
【００２４】
図２から図６までに示す本体１１０は、壁つなぎ取付け金物１００の主たる構造体をなす部材である。本体１１０は、横設部１１１、屋内側支持部１１２、屋外側支持部１１３、および連結部１１４を具備する。
【００２５】
横設部１１１は、矩形断面を有する筒状の部材であり、所謂、角パイプで構成される。横設部１１１は、その長手方向を略水平方向（本実施形態においては左右方向）に向けられる。
【００２６】
屋内側支持部１１２は、後述する屋内側挟持体１２０を支持するためのものである。屋内側支持部１１２は、矩形断面を有する筒状の部材である。屋内側支持部１１２の一端は横設部１１１の一端（右端）下部に固定され、屋内側支持部１１２の他端は略鉛直下方に向けて延設される。但し、横設部１１１や屋内側支持部１１２は、仮設足場４を支持するための剛性を有するものであれば、丸パイプや棒材やＨ鋼やＬ字鋼等で構成してもよく、本実施形態のものに限定するものではない。
また、補強板１１２ａが横設部１１１の一端面から屋内側支持部１１２の上端部にかけて溶接により固定される。これによって、屋内側支持部１１２が横設部１１１に対して強固に固定される。
【００２７】
屋外側支持部１１３は、後述する第一屋外側挟持体１３０および第二屋外側挟持体１４０を支持するためのものである。屋外側支持部１１３は、延設板１１３ａ・１１３ａ、支持部材１１３ｂ、リブ１１３ｃ・１１３ｃ、およびナット１１３ｄ・１１３ｄを具備する。
【００２８】
延設板１１３ａ・１１３ａの一端は横設部１１１の他端（左端）の前後面にそれぞれ固定され、延設板１１３ａ・１１３ａの他端は左下方に向けて延設される。
【００２９】
支持部材１１３ｂは板材を正面視略Ｕ字状に折り曲げて形成されるものである。支持部材１１３ｂは、その開放側を左方に向けられた状態で配置される。支持部材１１３ｂの上面および右側面が延設板１１３ａ・１１３ａの左下端部に溶接されることで、当該支持部材１１３ｂは延設板１１３ａ・１１３ａに固定される。この際、支持部材１１３ｂの右側面は、横設部１１１の軸心に対して垂直になるように配置される。
【００３０】
リブ１１３ｃ・１１３ｃは略矩形板状の部材である。リブ１１３ｃ・１１３ｃは、支持部材１１３ｂの開放部（支持部材１１３ｂの上面、下面、および右側面で囲まれる部分）に前後方向に所定間隔をおいて配置される。リブ１１３ｃ・１１３ｃは、支持部材１１３ｂの上面、下面、および右側面に溶接によりそれぞれ固定される。これによって、支持部材１１３ｂの強度を上げ、当該支持部材１１３ｂの変形や破損を防止することができる。
【００３１】
ナット１１３ｄ・１１３ｄは、支持部材１１３ｂの開放部に配置され、当該支持部材１１３ｂの右側面の前後端部近傍にそれぞれ固定される。ナット１１３ｄ・１１３ｄの軸心は、平面視（図５）において横設部１１１の軸心から所定距離（軸心間距離Ｌ）だけ離間するように配置される。支持部材１１３ｂの右側面のナット１１３ｄ・１１３ｄに対応する位置には、当該支持部材１１３ｂの右側面を左右方向に貫通する貫通孔が形成される。
【００３２】
連結部としての連結部１１４は、壁つなぎ５を連結するためのものである。連結部１１４は、支持板１１４ａ、およびナット１１４ｂを具備する。
【００３３】
支持板１１４ａは、略矩形板状の部材である。支持板１１４ａは、その板面を左右方向に向けられた状態で、横設部１１１の他端（左端）面に溶接により固定される。
【００３４】
ナット１１４ｂは、支持板１１４ａの左側面に固定される。ナット１１４ｂの軸心は、平面視（図５）において横設部１１１の軸心と一致するように配置される。支持板１１４ａのナット１１４ｂに対応する位置には、当該支持板１１４ａを左右方向に貫通する貫通孔が形成される。ナット１１４ｂは、壁つなぎ５のネジ部５ａを螺装可能としている。
【００３５】
屋内側挟持体１２０は、第一屋外側挟持体１３０および第二屋外側挟持体１４０との間で外壁３を挟持するためのものである。屋内側挟持体１２０は、弾性を有する円形板状の部材である。屋内側挟持体１２０は、その板面を左右方向に向けられた状態で、屋内側支持部１１２の他端（下端）の左側面に固定される。屋内側挟持体１２０は、左右方向から見て（図６（ａ）および（ｂ））屋外側支持部１１３のナット１１３ｄ・１１３ｄを結ぶ線分上に配置される。
【００３６】
図２から図５までに示す第一の屋外側挟持体としての第一屋外側挟持体１３０は、屋内側挟持体１２０との間で外壁３を挟持するためのものである。第一屋外側挟持体１３０は、ネジ部１３１、操作部１３２、および挟持部１３３を具備する。
【００３７】
ネジ部１３１は、円柱状の部材の外周にネジを形成された部材である。
操作部１３２は、正六角柱状に形成された部材である。操作部１３２はネジ部１３１の一端に形成され、ネジ部１３１および操作部１３２で六角ボルトを形成している。
ネジ部１３１は、操作部１３２が左方を向くように長手方向を左右方向に向けて、屋外側支持部１１３の前側のナット１１３ｄに螺合される。これによって、ネジ部１３１の軸心は本体１１０の支持部材１１３ｂに対して垂直な向きに配設される。
【００３８】
挟持部１３３は、略円錐台状の部材である。挟持部１３３は、ネジ部１３１の他端（右端）に固定される。挟持部１３３の右端部は、弾性を有するゴム等の部材で形成される。
【００３９】
上述の如く構成された第一屋外側挟持体１３０において、ネジ部１３１を回転させることで、ナット１１３ｄに対する第一屋外側挟持体１３０の左右方向相対位置を変更することができる。
【００４０】
第二の屋外側挟持体としての第二屋外側挟持体１４０は、屋内側挟持体１２０との間で外壁３を挟持するためのものである。第二屋外側挟持体１４０は、ネジ部１４１、操作部１４２、および挟持部１４３を具備する。
第二屋外側挟持体１４０の構成は、第一屋外側挟持体１３０と同一であるため、説明を省略する。
【００４１】
第二屋外側挟持体１４０のネジ部１４１は、操作部１４２が左方を向くように長手方向を左右方向に向けて、屋外側支持部１１３の後側のナット１１３ｄに螺合される。これによって、ネジ部１４１の軸心は本体１１０の支持部材１１３ｂに対して垂直な向きに配設される。
【００４２】
上述の如く構成された第二屋外側挟持体１４０において、ネジ部１４１を回転させることで、ナット１１３ｄに対する第二屋外側挟持体１４０の左右方向相対位置を変更することができる。
【００４３】
ここで、屋内側挟持体１２０は、左右方向から見て（図６（ａ）および（ｂ））屋外側支持部１１３のナット１１３ｄ・１１３ｄを結ぶ線分上に配置されているため、当該屋内側挟持体１２０は、左右方向から見て第一屋外側挟持体１３０と第二屋外側挟持体１４０とを結ぶ線分上に配置されることになる。
【００４４】
また、第一屋外側挟持体１３０および第二屋外側挟持体１４０が取り付けられるナット１１３ｄ・１１３ｄの軸心は、平面視（図５）において横設部１１１の軸心から所定距離（軸心間距離Ｌ）だけ離間するように配置されているため、当該第一屋外側挟持体１３０および第二屋外側挟持体１４０（詳細には、第一屋外側挟持体１３０のネジ部１３１の軸心および第二屋外側挟持体１４０のネジ部１４１の軸心）も平面視（図５）において横設部１１１の軸心から所定距離（軸心間距離Ｌ）だけ離間するように配置されることになる。
なお、前記ナット１１３ｄ・１１３ｄの軸心と横設部１１１の軸心との所定距離（軸心間距離Ｌ）は、具体的にはインパクトレンチ６の先端回転部を操作部１３２（１４２）に嵌合して締め付ける時に、支柱４ａが邪魔にならない距離である。つまり、前記所定距離（軸心間距離Ｌ）は、支柱４ａの半径ｒとインパクトレンチ６の幅Ｗの半分（Ｗ／２）を加えた以上の長さである（Ｌ≧ｒ＋Ｗ／２）。
【００４５】
上部受け体１５０は、弾性を有する円形板状の部材である。上部受け体１５０は、その板面を上下方向に向けられた状態で、横設部１１１の下面の左端部近傍に固定される。
なお、屋内側挟持体１２０、挟持部１３３・１４３、上部受け体１５０の材質及び形状は限定するものではなく、壁つなぎ取付け金物１００を外壁３に固定する時に、外壁３の表面を傷付けず安定して固定できる部材及び形状であればよい。
【００４６】
以下では、図２、図７、および図８を用いて、壁つなぎ取付け金物１００を用いて壁つなぎ５を外壁３に固定し、仮設足場４と外壁３とを連結する方法について説明する。仮設足場４と外壁３とを連結する場合、以下の（１）から（３）までの作業が行われる。
【００４７】
まず、（１）壁つなぎ取付け金物１００に壁つなぎ５を連結する。
【００４８】
詳細には、壁つなぎ５の一端に設けられたネジ部５ａが、連結部１１４のナット１１４ｂに螺合されることで、当該壁つなぎ５が壁つなぎ取付け金物１００に連結される。これによって、壁つなぎ５は壁つなぎ取付け金物１００の連結部１１４から左方に向かって延設されることになる。また、この場合、壁つなぎ５の軸心は、平面視（図８）において横設部１１１の軸心と一致するように配置される。
【００４９】
次に、（２）壁つなぎ取付け金物１００を建物１の外壁３に固定する。
【００５０】
詳細には、まず本体１１０を外壁３の屋内側（右側）から屋外側（左側）に亘るように配置する。この際、横設部１１１の軸心が外壁３の壁面に垂直な方向を向くように配置し、かつ、屋内側挟持体１２０と第一屋外側挟持体１３０および第二屋外側挟持体１４０との間に外壁３を嵌挿するように配置する。またこの際、壁つなぎ取付け金物１００は、仮設足場４の支柱４ａと前後方向における同一位置となるように配置される。すなわち、壁つなぎ取付け金物１００は、平面視（図８）において横設部１１１の軸心上に支柱４ａが位置するように配置される。
【００５１】
次に、第一屋外側挟持体１３０の操作部１３２および第二屋外側挟持体１４０の操作部１４２をインパクトレンチ６等の工具を用いて回転させ、第一屋外側挟持体１３０および第二屋外側挟持体１４０を屋内側挟持体１２０側へと近接させる。第一屋外側挟持体１３０および第二屋外側挟持体１４０を外壁３に当接するまで屋内側挟持体１２０側へと近接させることによって、屋内側挟持体１２０と第一屋外側挟持体１３０および第二屋外側挟持体１４０とで外壁３を挟持することができ、壁つなぎ取付け金物１００が外壁３に固定される。
この場合、第一屋外側挟持体１３０の操作部１３２および第二屋外側挟持体１４０の操作部１４２は、仮設足場４の支柱４ａに対して前後方向に変位して配置されているため、インパクトレンチ６等の工具を用いて当該操作部１３２および操作部１４２を操作する際、支柱４ａが邪魔になることがない。
【００５２】
最後に、（３）壁つなぎ５の他端に設けられた連結部５ｂを、鉛直方向に立設された仮設足場４の支柱４ａに連結させる。
【００５３】
このようにして、壁つなぎ５によって仮設足場４と外壁３とが連結される。
この際、第一屋外側挟持体１３０および第二屋外側挟持体１４０は、鉛直方向から見て（図８）壁つなぎ５の軸心、すなわち連結部１１４（より詳細にはナット１１４ｂ）と支柱４ａとを結ぶ直線から、当該直線に垂直な方向に変位して配置されることになる。
【００５４】
また、壁つなぎ５による仮設足場４と外壁３との連結を解除する方法は、概ね上記連結する方法と逆の順序に行われる。
【００５５】
すなわち、まず、壁つなぎ５の連結部５ｂと支柱４ａとの連結を解除する。
【００５６】
次に、インパクトレンチ６等の工具を用いて第一屋外側挟持体１３０および第二屋外側挟持体１４０を屋内側挟持体１２０から離間させ、壁つなぎ取付け金物１００を外壁３から取り外す。
【００５７】
最後に、収納、運搬等のために必要であれば、壁つなぎ取付け金物１００から壁つなぎ５を取り外す。
【００５８】
なお、上述した壁つなぎ５によって仮設足場４と外壁３とを連結する方法、および当該連結を解除する方法は一例であり、上記作業の順序は前後してもよい。
【００５９】
以上の如く、本実施形態に係る壁つなぎ取付け金物１００は、
建物１の外壁３と仮設足場４の支柱４ａとを連結する壁つなぎ５を外壁３に固定するための壁つなぎ取付け金物１００であって、
外壁３の屋内側から屋外側に亘って配置され、壁つなぎ５との連結部１１４が設けられる本体１１０と、
本体１１０における屋内側端部（右端部）に支持される屋内側挟持体１２０と、
本体１１０における屋外側端部（左端部）に支持され、鉛直方向から見て前記連結部と支柱４ａとを結ぶ直線から当該直線に垂直な方向に変位して配置される屋外側挟持体（第一屋外側挟持体１３０および第二屋外側挟持体１４０）と、
を具備し、
第一屋外側挟持体１３０は、
長手方向を外壁３の壁面に垂直な方向に向けられ本体１１０に螺合されるネジ部１３１と、
ネジ部１３１の屋外側端部に設けられる、ネジ部１３１を回転させるための操作部１３２と、
を具備し、
第二屋外側挟持体１４０は、
長手方向を外壁３の壁面に垂直な方向に向けられ本体１１０に螺合されるネジ部１４１と、
ネジ部１４１の屋外側端部に設けられる、ネジ部１４１を回転させるための操作部１４２と、
を具備し、
操作部１３２および操作部１４２を回転操作することで前記屋外側挟持体の長手方向位置を変更し、屋内側挟持体１２０と前記屋外側挟持体とで外壁３を挟持することにより外壁３に取り付けられるものである。
このように構成することにより、本体１１０の連結部１１４と前記屋外側挟持体（第一屋外側挟持体１３０および第二屋外側挟持体１４０）とが鉛直方向から見て連結部１１４と支柱４ａとを結ぶ直線から当該直線に垂直な方向に相対的に変位するように配置される。すなわち、壁つなぎ５に連結される仮設足場４の支柱４ａと前記屋外側挟持体とが前記方向に相対的に変位するように配置されるため、壁つなぎ取付け金物１００を外壁３に取り付ける際に、操作部１３２（１４２）を操作するためのインパクトレンチ６等の工具と当該支柱４ａが干渉せず、取り付け作業の邪魔にならない。このため、インパクトレンチ６等の比較的大きな工具を用いて作業を行うことができ、作業性を向上できる。
【００６０】
また、前記屋外側挟持体は２つ（第一屋外側挟持体１３０および第二屋外側挟持体１４０）具備され、
外壁３の壁面に垂直な方向（左右方向）から見て、第一屋外側挟持体１３０（第一の屋外側挟持体）と第二屋外側挟持体１４０（第二の屋外側挟持体）とを結ぶ線分上に屋内側挟持体１２０が位置するように配置されるものである。
このように構成することにより、屋内側挟持体１２０と第一屋外側挟持体１３０および第二屋外側挟持体１４０とで外壁３を挟持することで、３点で外壁３を挟持することになり、壁つなぎ取付け金物１００をより強固に外壁３に取り付けることができる。また、外壁３の壁面に垂直な方向（左右方向）から見て、第一屋外側挟持体１３０と第二屋外側挟持体１４０との間に屋内側挟持体１２０が位置するため、壁つなぎ取付け金物１００を外壁３に安定して固定することができる。
【００６１】
なお、本実施形態において、ナット１１３ｄ・１１３ｄの軸心は、平面視（図５）において横設部１１１の軸心から所定距離（軸心間距離Ｌ）だけ離間する。すなわち、ナット１１３ｄ・１１３ｄの軸心は、平面視において横設部１１１の軸心から等距離にあるものとしたが、本発明はこれに限るものではない。すなわち、平面視における横設部１１１の軸心からナット１１３ｄ・１１３ｄの軸心までの距離は互いに異なっていてもよい。
【００６２】
また、本体１１０の屋内側支持部１１２および屋外側支持部１１３の上下方向長さを可能な限り短く構成することで、外壁３の高さが低い（上下方向長さが短い）建物１であっても壁つなぎ取付け金物１００を取り付けることができる。
【００６３】
本発明に係る壁つなぎ取付け金物の第二実施形態として、図９および図１０に示す壁つなぎ取付け金物２００の如く構成することも可能である。
【００６４】
壁つなぎ取付け金物２００は、屋内側挟持体１２０と第一屋外側挟持体１３０とで外壁３を挟持するものである。すなわち、第一実施形態に係る壁つなぎ取付け金物１００は屋内側挟持体１２０、第一屋外側挟持体１３０、および第二屋外側挟持体１４０の３点で外壁３を挟持するものであるのに対し、第二実施形態に係る壁つなぎ取付け金物２００は屋内側挟持体１２０および第一屋外側挟持体１３０の２点で外壁３を挟持するものである。
【００６５】
第二実施形態に係る壁つなぎ取付け金物２００においても、第一屋外側挟持体１３０は、鉛直方向から見て（図１０）壁つなぎ５の軸心、すなわち連結部１１４（より詳細にはナット１１４ｂ）と支柱４ａとを結ぶ直線から、当該直線に垂直な方向に変位して配置されることになる。
【００６６】
またこの場合、図９および図１０に示すように、屋内側挟持体１２０を、屋内側支持部１１２から前方に延設されるブラケット１１２ｂを介して当該屋内側支持部１１２に固定することにより、当該屋内側挟持体１２０を第一屋外側挟持体１３０と外壁３を挟んで対向する位置に配置することが好ましい。これによって壁つなぎ取付け金物２００を外壁３に安定して固定することができる。
【００６７】
以下では、図１１から図１７までを用いて、本発明の第三実施形態に係る壁つなぎ取付け金物３００について詳細に説明する。
【００６８】
図１１に示す壁つなぎ取付け金物３００は、上述の如く、壁つなぎを外壁３に固定するためのものである。壁つなぎ取付け金物３００は、本体３１０、屋内側挟持体３２０、第一屋外側挟持体３３０、第二屋外側挟持体３４０、および上部受け体３５０を具備する。
【００６９】
図１１から図１５までに示す本体３１０は、壁つなぎ取付け金物３００の主たる構造体をなす部材である。本体３１０は、横設部３１１、屋内側支持部３１２、屋外側支持部３１３、第一連結部３１４、および第二連結部３１５を具備する。
【００７０】
横設部３１１は、矩形断面を有する筒状の部材であり、所謂、角パイプで構成される。横設部３１１は、その長手方向を略水平方向（本実施形態においては左右方向）に向けられる。
【００７１】
屋内側支持部３１２は、後述する屋内側挟持体３２０を支持するためのものである。屋内側支持部３１２は、矩形断面を有する筒状の部材である。屋内側支持部３１２の一端は横設部３１１の一端（右端）下部に固定され、屋内側支持部３１２の他端は略鉛直下方に向けて延設される。但し、横設部３１１や屋内側支持部３１２は、仮設足場４を支持するための剛性を有するものであれば、丸パイプや棒材やＨ鋼やＬ字鋼等で構成してもよく、本実施形態のものに限定するものではない。
また、補強板３１２ａが横設部３１１の一端面から屋内側支持部３１２の上端部にかけて溶接により固定される。これによって、屋内側支持部３１２が横設部３１１に対して強固に固定される。
【００７２】
屋外側支持部３１３は、後述する第一屋外側挟持体３３０および第二屋外側挟持体３４０を支持するためのものである。屋外側支持部３１３は、延設板３１３ａ・３１３ａ、支持板３１３ｂ、リブ３１３ｃ・３１３ｃ、およびナット３１３ｄ・３１３ｄを具備する。
【００７３】
延設板３１３ａ・３１３ａの一端は横設部３１１の他端（左端）の前後面にそれぞれ固定され、延設板３１３ａ・３１３ａの他端は略鉛直下方に向けて延設される。
【００７４】
支持板３１３ｂは略矩形板状の部材である。支持板３１３ｂは、長手方向を前後方向に向けられ、かつその板面を左右方向に向けられた状態で、延設板３１３ａ・３１３ａの他端（下端）の右側面に固定される。すなわち、支持板３１３ｂの板面は、横設部３１１の軸心に対して垂直な面となる。
【００７５】
リブ３１３ｃ・３１３ｃは略直角三角形の板状の部材である。リブ３１３ｃ・３１３ｃは、延設板３１３ａ・３１３ａの前面（または後面）および支持板３１３ｂの左側面に溶接により固定される。これによって、支持板３１３ｂが延設板３１３ａ・３１３ａに対して強固に固定される。
【００７６】
ナット３１３ｄ・３１３ｄは、支持板３１３ｂの右側面の前後端部近傍にそれぞれ固定される。ナット３１３ｄ・３１３ｄの軸心は、平面視（図１４）において横設部３１１の軸心から所定距離（軸心間距離Ｌ）だけ離間するように配置される。支持板３１３ｂのナット３１３ｄ・３１３ｄに対応する位置には、当該支持板３１３ｂを左右方向に貫通する貫通孔が形成される。
【００７７】
連結部としての第一連結部３１４は、壁つなぎ５を連結するためのものである。第一連結部３１４は、支持板３１４ａ、ナット３１４ｂ、および補強板３１４ｃを具備する。
【００７８】
支持板３１４ａは、略矩形板状の部材である。支持板３１４ａは、その板面を左右方向に向けられた状態で、横設部３１１の左右方向略中央において、当該横設部３１１の上面に対して垂直に立設される。
【００７９】
ナット３１４ｂは、支持板３１４ａの右側面に固定される。ナット３１４ｂの軸心は、平面視（図１４）において横設部３１１の軸心と一致するように配置される。支持板３１４ａのナット３１４ｂに対応する位置には、当該支持板３１４ａを左右方向に貫通する貫通孔が形成される。ナット３１４ｂは、壁つなぎ５のネジ部５ａを螺装可能としており、仮設足場４と外壁３との間の距離が短い場合に使用される。
【００８０】
補強板３１４ｃは、略台形板状の部材である。補強板３１４ｃは、支持板３１４ａの右側面および横設部３１１の前面に溶接により固定される。これによって、支持板３１４ａが横設部３１１に対して強固に固定される。
【００８１】
連結部としての第二連結部３１５は、壁つなぎ５を連結するためのものである。第二連結部３１５は、支持板３１５ａ、およびナット３１５ｂを具備する。
【００８２】
支持板３１５ａは、略矩形板状の部材である。支持板３１５ａは、その板面を左右方向に向けられた状態で、横設部３１１の他端（左端）面に溶接により固定される。
【００８３】
ナット３１５ｂは、支持板３１５ａの左側面に固定される。ナット３１４ｂの軸心は、平面視（図１４）において横設部３１１の軸心と一致するように配置される。支持板３１５ａのナット３１５ｂに対応する位置には、当該支持板３１５ａを左右方向に貫通する貫通孔が形成される。ナット３１５ｂは、壁つなぎ５のネジ部５ａを螺装可能としており、仮設足場４と外壁３との間の距離が長い場合に使用される。前記ナット３１４ｂとナット３１５ｂは前後方向は同じ位置で、上下方向及び左右方向では、それぞれ所定間隔を開けて横設部３１１に配置される。
【００８４】
屋内側挟持体３２０は、第一屋外側挟持体３３０および第二屋外側挟持体３４０との間で外壁３を挟持するためのものである。屋内側挟持体３２０は、弾性を有する円形板状の部材である。屋内側挟持体３２０は、その板面を左右方向に向けられた状態で、屋内側支持部３１２の他端（下端）の左側面に固定される。屋内側挟持体３２０は、左右方向から見て（図１５（ａ）および（ｂ））屋外側支持部３１３のナット３１３ｄ・３１３ｄを結ぶ線分上に配置される。
【００８５】
図１１から図１４までに示す第一の屋外側挟持体としての第一屋外側挟持体３３０は、屋内側挟持体３２０との間で外壁３を挟持するためのものである。第一屋外側挟持体３３０は、ネジ部３３１、操作部３３２、および挟持部３３３を具備する。
【００８６】
ネジ部３３１は、円柱状の部材の外周にネジを形成された部材である。
操作部３３２は、正六角柱状に形成された部材である。操作部３３２はネジ部３３１の一端に形成され、ネジ部３３１および操作部３３２で六角ボルトを形成している。
ネジ部３３１は、操作部３３２が左方を向くように長手方向を左右方向に向けて、屋外側支持部３１３の前側のナット３１３ｄに螺合される。これによって、ネジ部３３１の軸心は本体３１０の支持板３１３ｂに対して垂直な向きに配設される。
【００８７】
挟持部３３３は、略円錐台状の部材である。挟持部３３３は、ネジ部３３１の他端（右端）に固定される。挟持部３３３の右端部は、弾性を有するゴム等の部材で形成される。
【００８８】
上述の如く構成された第一屋外側挟持体３３０において、ネジ部３３１を回転させることで、ナット３１３ｄに対する第一屋外側挟持体３３０の左右方向相対位置を変更することができる。
【００８９】
第二の屋外側挟持体としての第二屋外側挟持体３４０は、屋内側挟持体３２０との間で外壁３を挟持するためのものである。第二屋外側挟持体３４０は、ネジ部３４１、操作部３４２、および挟持部３４３を具備する。
第二屋外側挟持体３４０の構成は、第一屋外側挟持体３３０と同一であるため、説明を省略する。
【００９０】
第二屋外側挟持体３４０のネジ部３４１は、操作部３４２が左方を向くように長手方向を左右方向に向けて、屋外側支持部３１３の後側のナット３１３ｄに螺合される。これによって、ネジ部３４１の軸心は本体３１０の支持板３１３ｂに対して垂直な向きに配設される。
【００９１】
上述の如く構成された第二屋外側挟持体３４０において、ネジ部３４１を回転させることで、ナット３１３ｄに対する第二屋外側挟持体３４０の左右方向相対位置を変更することができる。
【００９２】
ここで、屋内側挟持体３２０は、左右方向から見て（図１５（ａ）および（ｂ））屋外側支持部３１３のナット３１３ｄ・３１３ｄを結ぶ線分上に配置されているため、当該屋内側挟持体３２０は、左右方向から見て第一屋外側挟持体３３０と第二屋外側挟持体３４０とを結ぶ線分上に配置されることになる。
【００９３】
また、第一屋外側挟持体３３０および第二屋外側挟持体３４０が取り付けられるナット３１３ｄ・３１３ｄの軸心は、平面視（図１４）において横設部３１１の軸心から所定距離（軸心間距離Ｌ）だけ離間するように配置されているため、当該第一屋外側挟持体３３０および第二屋外側挟持体３４０（詳細には、第一屋外側挟持体３３０のネジ部３３１の軸心および第二屋外側挟持体３４０のネジ部３４１の軸心）も平面視（図１４）において横設部３１１の軸心から所定距離（軸心間距離Ｌ）だけ離間するように配置されることになる。
なお、前記ナット３１３ｄ・３１３ｄの軸心と横設部３１１の軸心との所定距離（軸心間距離Ｌ）は、具体的にはインパクトレンチ６の先端回転部を操作部３３２（３４２）に嵌合して締め付ける時に、支柱４ａが邪魔にならない距離である。つまり、前記所定距離（軸心間距離Ｌ）は、支柱４ａの半径ｒとインパクトレンチ６の幅Ｗの半分（Ｗ／２）を加えた以上の長さである（Ｌ≧ｒ＋Ｗ／２）。
【００９４】
上部受け体３５０は、弾性を有する円形板状の部材である。上部受け体３５０は、その板面を上下方向に向けられた状態で、横設部３１１の下面の左右方向略中央に固定される。
なお、屋内側挟持体３２０、挟持部３３３・３４３、上部受け体３５０の材質及び形状は限定するものではなく、壁つなぎ取付け金物３００を外壁３に固定する時に、外壁３の表面を傷付けず安定して固定できる部材及び形状であればよい。
【００９５】
以下では、図１１、図１６、および図１７を用いて、壁つなぎ取付け金物３００を用いて壁つなぎ５を外壁３に固定し、仮設足場４と外壁３とを連結する方法について説明する。仮設足場４と外壁３とを連結する場合、以下の（１）から（３）までの作業が行われる。
【００９６】
まず、（１）壁つなぎ取付け金物３００に壁つなぎ５を連結する。
【００９７】
詳細には、壁つなぎ５の一端に設けられたネジ部５ａが、第一連結部３１４（または第二連結部３１５）のナット３１４ｂ（３１５ｂ）に螺合されることで、当該壁つなぎ５が壁つなぎ取付け金物３００に連結される。これによって、壁つなぎ５は壁つなぎ取付け金物３００の第一連結部３１４から左方に向かって延設されることになる。また、この場合、壁つなぎ５の軸心は、平面視（図１７）において横設部３１１の軸心と一致するように配置される。
【００９８】
次に、（２）壁つなぎ取付け金物３００を建物１の外壁３に固定する。
【００９９】
詳細には、まず本体３１０を外壁３の屋内側（右側）から屋外側（左側）に亘るように配置する。この際、横設部３１１の軸心が外壁３の壁面に垂直な方向を向くように配置し、かつ、屋内側挟持体３２０と第一屋外側挟持体３３０および第二屋外側挟持体３４０との間に外壁３を嵌挿するように配置する。またこの際、壁つなぎ取付け金物３００は、仮設足場４の支柱４ａと前後方向における同一位置となるように配置される。すなわち、壁つなぎ取付け金物３００は、平面視（図１７）において横設部３１１の軸心上に支柱４ａが位置するように配置される。
【０１００】
次に、第一屋外側挟持体３３０の操作部３３２および第二屋外側挟持体３４０の操作部３４２をインパクトレンチ６等の工具を用いて回転させ、第一屋外側挟持体３３０および第二屋外側挟持体３４０を屋内側挟持体３２０側へと近接させる。第一屋外側挟持体３３０および第二屋外側挟持体３４０を外壁３に当接するまで屋内側挟持体３２０側へと近接させることによって、屋内側挟持体３２０と第一屋外側挟持体３３０および第二屋外側挟持体３４０とで外壁３を挟持することができ、壁つなぎ取付け金物３００が外壁３に固定される。
この場合、第一屋外側挟持体３３０の操作部３３２および第二屋外側挟持体３４０の操作部３４２は、仮設足場４の支柱４ａに対して前後方向に変位して配置されているため、インパクトレンチ６等の工具を用いて当該操作部３３２および操作部３４２を操作する際、支柱４ａが邪魔になることがない。
【０１０１】
最後に、（３）壁つなぎ５の他端に設けられた連結部５ｂを、鉛直方向に立設された仮設足場４の支柱４ａに連結させる。
【０１０２】
このようにして、壁つなぎ５によって仮設足場４と外壁３とが連結される。
この際、第一屋外側挟持体３３０および第二屋外側挟持体３４０は、鉛直方向から見て（図１７）壁つなぎ５の軸心、すなわち第一連結部３１４（より詳細にはナット３１４ｂ）と支柱４ａとを結ぶ直線から、当該直線に垂直な方向に変位して配置されることになる。
【０１０３】
また、壁つなぎ５による仮設足場４と外壁３との連結を解除する方法は、概ね上記連結する方法と逆の順序に行われる。
【０１０４】
すなわち、まず、壁つなぎ５の連結部５ｂと支柱４ａとの連結を解除する。
【０１０５】
次に、インパクトレンチ６等の工具を用いて第一屋外側挟持体３３０および第二屋外側挟持体３４０を屋内側挟持体３２０から離間させ、壁つなぎ取付け金物３００を外壁３から取り外す。
【０１０６】
最後に、収納、運搬等のために必要であれば、壁つなぎ取付け金物３００から壁つなぎ５を取り外す。
【０１０７】
なお、上述した壁つなぎ５によって仮設足場４と外壁３とを連結する方法、および当該連結を解除する方法は一例であり、上記作業の順序は前後してもよい。
【０１０８】
なお、本実施形態においては、壁つなぎ５のネジ部５ａは第一連結部３１４のナット３１４ｂに螺合されるものとしたが、第二連結部３１５のナット３１５ｂに螺合させることも可能である。作業者は、第一連結部３１４または第二連結部３１５のうちいずれか一方に任意に壁つなぎ５を連結することによって、壁つなぎ取付け金物３００に対する壁つなぎ５の左右方向相対位置および上下方向相対位置を選択することができる。
【０１０９】
以上の如く、本実施形態に係る壁つなぎ取付け金物３００は、
建物１の外壁３と仮設足場４の支柱４ａとを連結する壁つなぎ５を外壁３に固定するための壁つなぎ取付け金物３００であって、
外壁３の屋内側から屋外側に亘って配置され、壁つなぎ５との連結部（第一連結部３１４および第二連結部３１５）が設けられる本体３１０と、
本体３１０における屋内側端部（右端部）に支持される屋内側挟持体３２０と、
本体３１０における屋外側端部（左端部）に支持され、鉛直方向から見て前記連結部と支柱４ａとを結ぶ直線から当該直線に垂直な方向に変位して配置される屋外側挟持体（第一屋外側挟持体３３０および第二屋外側挟持体３４０）と、
を具備し、
第一屋外側挟持体３３０は、
長手方向を外壁３の壁面に垂直な方向に向けられ本体３１０に螺合されるネジ部３３１と、
ネジ部３３１の屋外側端部に設けられる、ネジ部３３１を回転させるための操作部３３２と、
を具備し、
第二屋外側挟持体３４０は、
長手方向を外壁３の壁面に垂直な方向に向けられ本体３１０に螺合されるネジ部３４１と、
ネジ部３４１の屋外側端部に設けられる、ネジ部３４１を回転させるための操作部３４２と、
を具備し、
操作部３３２および操作部３４２を回転操作することで前記屋外側挟持体の長手方向位置を変更し、屋内側挟持体３２０と前記屋外側挟持体とで外壁３を挟持することにより外壁３に取り付けられるものである。
このように構成することにより、本体３１０の前記連結部と前記屋外側挟持体（第一屋外側挟持体３３０および第二屋外側挟持体３４０）とが鉛直方向から見て前記連結部と支柱４ａとを結ぶ直線から当該直線に垂直な方向に相対的に変位するように配置される。すなわち、壁つなぎ５に連結される仮設足場４の支柱４ａと前記屋外側挟持体とが前記方向に相対的に変位するように配置されるため、壁つなぎ取付け金物３００を外壁３に取り付ける際に、操作部３３２（３４２）を操作するためのインパクトレンチ６等の工具と当該支柱４ａが干渉せず、取り付け作業の邪魔にならない。このため、インパクトレンチ６等の比較的大きな工具を用いて作業を行うことができ、作業性を向上できる。
【０１１０】
また、前記屋外側挟持体は２つ（第一屋外側挟持体３３０および第二屋外側挟持体３４０）具備され、
外壁３の壁面に垂直な方向（左右方向）から見て、第一屋外側挟持体３３０（第一の屋外側挟持体）と第二屋外側挟持体３４０（第二の屋外側挟持体）とを結ぶ線分上に屋内側挟持体３２０が位置するように配置されるものである。
このように構成することにより、屋内側挟持体３２０と第一屋外側挟持体３３０および第二屋外側挟持体３４０とで外壁３を挟持することで、３点で外壁３を挟持することになり、壁つなぎ取付け金物３００をより強固に外壁３に取り付けることができる。また、外壁３の壁面に垂直な方向（左右方向）から見て、第一屋外側挟持体３３０と第二屋外側挟持体３４０との間に屋内側挟持体３２０が位置するため、壁つなぎ取付け金物３００を外壁３に安定して固定することができる。
【０１１１】
なお、本実施形態において、ナット３１３ｄ・３１３ｄの軸心は、平面視（図１４）において横設部３１１の軸心から所定距離（軸心間距離Ｌ）だけ離間する。すなわち、ナット３１３ｄ・３１３ｄの軸心は、平面視において横設部３１１の軸心から等距離にあるものとしたが、本発明はこれに限るものではない。すなわち、平面視における横設部３１１の軸心からナット３１３ｄ・３１３ｄの軸心までの距離は互いに異なっていてもよい。
【０１１２】
また、本体３１０の屋内側支持部３１２および屋外側支持部３１３の上下方向長さを可能な限り短く構成することで、外壁３の高さが低い（上下方向長さが短い）建物１であっても壁つなぎ取付け金物３００を取り付けることができる。
【０１１３】
本発明に係る壁つなぎ取付け金物の第四実施形態として、図１８および図１９に示す壁つなぎ取付け金物４００の如く構成することも可能である。
【０１１４】
壁つなぎ取付け金物４００は、屋内側挟持体３２０と第一屋外側挟持体３３０とで外壁３を挟持するものである。すなわち、第一実施形態に係る壁つなぎ取付け金物３００は屋内側挟持体３２０、第一屋外側挟持体３３０、および第二屋外側挟持体３４０の３点で外壁３を挟持するものであるのに対し、第二実施形態に係る壁つなぎ取付け金物４００は屋内側挟持体３２０および第一屋外側挟持体３３０の２点で外壁３を挟持するものである。
【０１１５】
第二実施形態に係る壁つなぎ取付け金物４００においても、第一屋外側挟持体３３０は、鉛直方向から見て（図１９）壁つなぎ５の軸心、すなわち第一連結部３１４（より詳細にはナット３１４ｂ）と支柱４ａとを結ぶ直線から、当該直線に垂直な方向に変位して配置されることになる。
【０１１６】
またこの場合、図１８および図１９に示すように、屋内側挟持体３２０を、屋内側支持部３１２から前方に延設されるブラケット３１２ｂを介して当該屋内側支持部３１２に固定することにより、当該屋内側挟持体３２０を第一屋外側挟持体３３０と外壁３を挟んで対向する位置に配置することが好ましい。これによって壁つなぎ取付け金物４００を外壁３に安定して固定することができる。
【符号の説明】
【０１１７】
１      建物
３      外壁
４      仮設足場
４ａ    支柱
５      壁つなぎ
１００  壁つなぎ取付け金物
１１０  本体
１１４  連結部
１２０  屋内側挟持体
１３０  第一屋外側挟持体（第一の屋外側挟持体）
１３１  ネジ部
１３２  操作部
１４０  第二屋外側挟持体（第二の屋外側挟持体）
１４１  ネジ部
１４２  操作部
３００  壁つなぎ取付け金物
３１０  本体
３１４  第一連結部（連結部）
３１５  第二連結部（連結部）
３２０  屋内側挟持体
３３０  第一屋外側挟持体（第一の屋外側挟持体）
３３１  ネジ部
３３２  操作部
３４０  第二屋外側挟持体（第二の屋外側挟持体）
３４１  ネジ部
３４２  操作部
【図１】
0005667398.tif 000002
【図２】
0005667398.tif 000003
【図３】
0005667398.tif 000004
【図４】
0005667398.tif 000005
【図５】
0005667398.tif 000006
【図６】
0005667398.tif 000007
【図７】
0005667398.tif 000008
【図８】
0005667398.tif 000009
【図９】
0005667398.tif 000010
【図１０】
0005667398.tif 000011
【図１１】
0005667398.tif 000012
【図１２】
0005667398.tif 000013
【図１３】
0005667398.tif 000014
【図１４】
0005667398.tif 000015
【図１５】
0005667398.tif 000016
【図１６】
0005667398.tif 000017
【図１７】
0005667398.tif 000018
【図１８】
0005667398.tif 000019
【図１９】
0005667398.tif 000020
【図２０】
0005667398.tif 000021